(57)【要約】      （修正有）【課題】構造が簡単で、ソファー状態のときに支持強度の高い起伏装置を提供する。【解決手段】座枠に第１ブラケット５を固定し、中間枠に第２ブラケット６を固定し、背もたれ枠に第３ブラケット７を固定する。そして、第１ブラケット５の一端と、第２ブラケット６の一端とを軸支するとともに、第２ブラケット６の他端と、第３ブラケット７の一端とを軸支し、且つ連結リンク１０の一端を第３ブラケット７の一端で第３ピン１１により軸支するとともに、他端を第１ブラケット５の一端に軸支する。そして、第３ピン１１に姿勢変更レバー１３の一端を軸支し、その他端部に設けられた係合部１４，１５，１６を第２ブラケット６の係止ピン１７に係止する。【選択図】図５
0003171879.tif 000002
【実用新案登録請求の範囲】
【請求項１】
ベットの基部(1)上に、ベット状態で、その幅方向の一端から他端に順に、座枠(2)と、中間枠(3)と、背もたれ枠(4)とが並列され、座枠(2)は基部(1)に常時接して保持され、中間枠(3)および背もたれ枠(4)が基部(1)に対して起倒自在に配置されたソファーベットであって、
座枠(2)に第１ブラケット(5)が固定され、中間枠(3)に第２ブラケット(6)が固定され、背もたれ枠(4)に第３ブラケット(7)が固定され、
第１ブラケット(5)の一端と第２ブラケット(6)の一端とが第１ピン(8) で軸支され、第２ブラケット(6)の他端と第３ブラケット(7)の一端とが第２ピン(9)で軸支され、連結リンク(10)の一端が、第３ブラケット(7)の一端で第３ピン(11)で軸支されるとともに、その他端が第１ブラケット(5)の一端で第４ピン(12)で軸支され、
その連結リンク(10)の両軸支の第３ピン(11)および第４ピン(12)間を結ぶ直線と、第２ブラケット(6)の両軸支の第１ピン(8) および第２ピン(9)間を結ぶ直線とが側面視Ｘ字状に交差して形成され、
姿勢変更レバー(13)の一端が前記第３ピン(11)に軸支され、その他端部にその長手方向に離間して複数の係合部(14)〜(16)が形成され、
第２ブラケット(6)に係止ピン(17)が設けられ、その係止ピン(17)に前記姿勢変更レバー(13)の係合部(14)〜(16)のいずれか一つが係止されるように構成されたことを特徴とするソファーべットの起伏装置。
【請求項２】
請求項１に記載のソファーベットにおいて、
前記係止ピン(17)の位置が、前記第３ピン(11)および第４ピン(12)間を結ぶ直線と、第１ピン(8) および第２ピン(9)間を結ぶ直線とが側面視Ｘ字状に交差する交点Ｏより、基部(1)側にあるソファーベットの起伏装置。
【考案の詳細な説明】
【技術分野】
【０００１】
本考案は、ソファー兼用ベットの起伏装置に関する。
即ち、平坦なベットの状態から、その背もたれ部を起こし、ソファーの状態に変更できるものに関する。
【背景技術】
【０００２】
ソファーベットは、その座部と背もたれ部とが幅方向に配置され、その背もたれ部が起倒自在に設けられたものが主流である。その起伏を行なうため、座部の座枠および背もたれ部の背もたれ枠には、それぞれブラケットが設けられ、そのブラケットどうしを軸支するとともに、座部の傾斜位置を保持する姿勢変更レバーが設けられている。
このタイプのソファーベットは、ベット状態で幅方向中心位置に背もたれの起伏に伴う縦筋が生じる欠点がある。
【０００３】
そこで、下記特許文献１には、座枠と背もたれ枠との間に中間枠を設け、その縦筋をなくす提案がなされている。これは、背もたれ枠と中間枠とがソファー状態でそれぞれ起立する構造となっており、その起立状態を保持するために、中間枠に立設された中間ブラケットに姿勢変更レバーの一端を軸支し、そのレバーの係合部が座枠に固定された座枠ブラケットのピンに係脱自在に係止されるものである。
また、座部ブラケットと中間ブラケット、背もたれブラケットとは、それぞれ軸支され、且つ連結リンクによって背もたれブラケットと座部ブラケットとが連結されたものである。
【先行技術文献】
【特許文献】
【０００４】
【特許文献１】実公平６−３１９６９号公報
【考案の概要】
【考案が解決しようとする課題】
【０００５】
背もたれブラケットと座部ブラケットとが直接軸支されるものにおいては、その幅方向中央位置にベットの状態で折り筋が生じる欠点があり、それを防止した上記特許文献１の場合には、各ブラケット及び姿勢変更レバーの軸支部の数が多くなり、構造が複雑で組立てが面倒である欠点があった。
さらには、背もたれブラケットと座部ブラケットとが連結リンクを介して、側面視でＸ字状に交差し、ソファー状態でその交差角度が小さくなり、背もたれ部に加わるモーメントの支持の安定性に欠ける欠点があった。
そこで、本考案はこれらの問題点を取除くことを課題とする。
【課題を解決するための手段】
【０００６】
請求項１に記載の本考案は、ベットの基部(1)上に、ベット状態で、その幅方向の一端から他端に順に、座枠(2)と、中間枠(3)と、背もたれ枠(4)とが並列され、座枠(2)は基部(1)に常時接して保持され、中間枠(3)および背もたれ枠(4)が基部(1)に対して起倒自在に配置されたソファーベットであって、
座枠(2)に第１ブラケット(5)が固定され、中間枠(3)に第２ブラケット(6)が固定され、背もたれ枠(4)に第３ブラケット(7)が固定され、
第１ブラケット(5)の一端と第２ブラケット(6)の一端とが第１ピン(8) で軸支され、第２ブラケット(6)の他端と第３ブラケット(7)の一端とが第２ピン(9)で軸支され、連結リンク(10)の一端が、第３ブラケット(7)の一端で第３ピン(11)で軸支されるとともに、その他端が第１ブラケット(5)の一端で第４ピン(12)で軸支され、
その連結リンク(10)の両軸支の第３ピン(11)および第４ピン(12)間を結ぶ直線と、第２ブラケット(6)の両軸支の第１ピン(8) および第２ピン(9)間を結ぶ直線とが側面視Ｘ字状に交差して形成され、
姿勢変更レバー(13)の一端が前記第３ピン(11)に軸支され、その他端部にその長手方向に離間して複数の係合部(14)〜(16)が形成され、
第２ブラケット(6)に係止ピン(17)が設けられ、その係止ピン(17)に前記姿勢変更レバー(13)の係合部(14)〜(16)のいずれか一つが係止されるように構成されたことを特徴とするソファーべットの起伏装置である。
【０００７】
請求項２に記載の本考案は、請求項１に記載のソファーベットにおいて、
前記係止ピン(17)の位置が、前記第３ピン(11)および第４ピン(12)間を結ぶ直線と、第１ピン(8) および第２ピン(9)間を結ぶ直線とが側面視Ｘ字状に交差する交点Ｏより、基部(1)側にあるソファーベットの起伏装置である。
【考案の効果】
【０００８】
本考案は、第３ブラケット７と連結リンク10とが軸支される第３ピン11に、姿勢変更レバー13の一端部が同時に軸支されているから、各ブラケットや姿勢変更レバー13の軸支点を少なくし、構造が簡単で組立てやすいソファーベットの起伏装置を提供できる。
【０００９】
また、請求項２に記載のように、上記構成において、係止ピン17の位置を連結リンク10と第２ブラケット６との交点Ｏより基部１側に配置した場合には、ソファー時の支持構造をより強固に維持できる。即ち、ソファー時には、連結リンク10と第２ブラケット６とのＸ字の交差角が小さくなり不安定になるが、それを姿勢変更レバー13によって補強することができる。これは、姿勢変更レバー13と第２ブラケット６とが側面三角形のフレームを形成するからである。
【図面の簡単な説明】
【００１０】
【図１】本考案のソファーベットの側面図。
【図２】同ソファーベットの起伏装置の側面図。
【図３】図２のIII−III矢視図。
【図４】同起伏装置の起立状態を示す側面図。
【図５】同起伏装置の要部斜視図。
【考案を実施するための形態】
【００１１】
次に図面に基づいて、本考案の実施の形態につき説明する。
本考案のソファーベットの起伏装置は、基部１上にベット状態でその幅方向の一端から他端に順に座枠２と、中間枠３と、背もたれ枠４とが並列されている。座枠２は基部１に固定又は水平方向のみに移動自在に案内され、中間枠３と背もたれ枠４とは基部１に対して起倒自在に配置されている。座枠２、中間枠３、背もたれ枠４上には、それぞれ第１ブラケット５、第２ブラケット６、第３ブラケット７が固定されている。即ち、図３において、第１ブラケット５のフランジ部5aのボルト孔24を介して、図示しないボルトにより第１ブラケット５が座枠２に固定される。同様に、第２ブラケット６のフランジ部6aと中間枠３が固定され、第３ブラケット７のフランジ部７aと背もたれ枠４とが固定される。それらの各ブラケットは、横断面Ｌ字状に形成され、垂直部とそれに直行するフランジ部とからなる。
【００１２】
そして、図２に示すごとく、第１ブラケット５と第２ブラケット６とが第１ピン８により軸支され、第２ブラケット６と第３ブラケット７とが第２ピン９により軸支され、連結リンク10の両端が第３ピン11と第４ピン12により、第３ブラケット７と第１ブラケット５に軸支されている。そして、連結リンク10と第２ブラケット６とが側面視でＸ字状に交差されている。さらに、第３ブラケット７と連結リンク10との軸支点である第３ピン11には姿勢変更レバー13の一端が軸支され、その中間部が保持ガイド20によって被嵌されている。保持ガイド20の端部には係止ピン17が第２ブラケット６の厚み方向に貫通する。姿勢変更レバー13の他端部には、この例では３つの係合部14，15，16がその長手方向に設けられ、それらのいずれかが係止ピン17に係脱自在に係止される。
【００１３】
姿勢変更レバー13の背部にはＬ型に曲折された金属板からなる爪ホルダ25が固定され、それに２つの爪ピン21が長手方向に離間して爪ホルダ25と姿勢変更レバー13に挿通され、その爪ピン21にはそれぞれ復帰ガイド爪22の上端が軸支されている。そして、係止ピン17の位置は、連結リンク10と第２ブラケット６との交点Ｏよりも下方に位置する。また、姿勢変更レバー13の一端にバネ23の一端が係止され、その他端が第３ブラケット７に係止され、そのバネ23によって姿勢変更レバー13は第３ピン11の周りに時計方向に回転するように付勢されている。そして、座枠２、中間枠３、背もたれ枠４の上面にはそれらを被嵌するように、クッション材よりなる座部18及び背もたれ部19が設けられている。なお、この例ではベットの一方側の金具のみを示したが、他側にもそれと対称に、その起伏装置の金具が配置されている。
【００１４】
（作用）
図１の実線状態および図２、図５の各状態の金具は、ベットとして使用する状態を示し、このとき座枠２、中間枠３、背もたれ枠４が基部１上に着座する。この状態から背もたれ部19を図１の鎖線状態にするには、背もたれ部19を右回転する。すると、姿勢変更レバー13が左方に移動し、一例として図４のごとく、係止ピン17が係合部16に係止される。その係止状態は、バネ23の付勢力により保持される。すると、図１の鎖線ごとく、背もたれ部19は座部18に対して起立する。
【００１５】
次いで、背もたれ部19を図１の実線状態に戻すには、その背もたれ部19をさらに右回転する。すると、姿勢変更レバー13は更に左方に移動し、係止ピン17が右端の復帰ガイド爪22を乗り越える。その状態から、逆に背もたれ部19を左回転すると、復帰ガイド爪22および爪ホルダ25が左方に押されて回転し、各復帰ガイド爪22が係合部15，16の開口を閉塞する。すると、係止ピン17はそれらを乗り越え、最左端の係合部14に嵌着し、図１の実線状態および図２の状態に戻る。
なお、姿勢変更レバー13の中間の係合部15に係止ピン17を係止した場合には、図１の実線状態と鎖線状態との中間の姿勢をとる。
【符号の説明】
【００１６】
１  基部
２  座枠
３  中間枠
４  背もたれ枠
５  第１ブラケット
5a  フランジ部
６  第２ブラケット
6a  フランジ部
７  第３ブラケット
7a  フランジ部
【００１７】
８  第１ピン
９  第２ピン
10  連結リンク
11  第３ピン
12  第４ピン
13  姿勢変更レバー
14，15，16  係合部
17  係止ピン
18  座部
【００１８】
19  背もたれ部
20  保持ガイド
21  爪ピン
22  復帰ガイド爪
23  バネ
24  ボルト孔
25  爪ホルダ
【図１】
0003171879.tif 000003
【図２】
0003171879.tif 000004
【図３】
0003171879.tif 000005
【図４】
0003171879.tif 000006
【図５】
0003171879.tif 000007